(57)【要約】【課題】  弦楽器などの演奏時に指先及び指の腹を強化し、弦を押さえる痛みを軽減し、うまく演奏を行なえるようにする。【解決手段】  指先及び指の腹の、弦に接触する部位に緩衝部材を取り付けることで解決しようとするものである。【選択図】          図１
2006126717.tif 000002
【特許請求の範囲】
【請求項１】
弦を押さえるのに必要な大きさの緩衝部材を指先又は指の腹の任意部分に装着する手段を設けた指強化具。
【請求項２】
請求項１において緩衝部材が皮革または皮革と同じ程度の硬さと滑り易さを持った部材である指強化具。
【請求項３】
請求項１及び２において緩衝部材を指先または指の腹に装着する手段が緩衝部材の裏面に粘着材を塗布した装着手段、又は緩衝部材を接着した指サック指筒である装着手段、又は緩衝部材を粘着テープの表面に接着し、指先または指の腹に粘着させて使用する装着手段である指強化具。
【発明の詳細な説明】
【技術分野】
【０００１】
この発明は、指先及び指の腹を酷使する用途、例えば弦楽器演奏などに適用される指を強化する指強化具に関する。
【背景技術】
【０００２】
従来の弦楽器用弦押え具としては特許文献１，特許文献２、特許文献３のような技術が開示されている。これらの従来技術では図８から１１に示すように指先全体を硬質素材又はプラスチック、ゴムなど弾力性のある材料で被うことで指先の保護を行っている。また特許文献３では図１２に示すように指の根元から指先に向かう指の腹全体にゴムの厚い部分が直線状に配置され、指の腹で弦をうまく押さえられるようになっている。
【特許文献１】実開平０３−０３７４９７
【特許文献２】実開昭５９−０４８５９６
【特許文献３】実開昭５４−１７７９１７
【発明の開示】
【発明が解決しようとする課題】
【０００３】
弦楽器の演奏において弦を押さえる指の位置は楽器の形や指先の骨の形や押さえ方のくせなどによりに最適な部位が限られているので、押さえた位置が指先又は指の腹に伝わらないとうまく演奏することができない場合がある。しかしながら特許文献１から３の技術によれば、指先を保護する為にプラスチック等の硬質素材又はプラスチック、ゴムなど弾力性のある材料を指先に取り付け指先全体を覆っているため、弦を押さえた場合に押さえた位置がずれるなどで最適な位置で弦を押さえる事ができなかった場合でも指先に弦を押さえた感触が伝わりにくいので修正ができず、音を鳴らしてみて、ビビリ音などが出てからうまく押さえられなかったことが分かり、結果的にうまく演奏できない場合がある。また特許文献３の技術によれば、指の根元から指先に向かう指の腹全体にゴムの厚い部分が直線状に配置されている為、弦を押さえた場合に押さえた位置が横方向にずれたりして最適な位置で弦を押さえる事ができなかった場合でも指の腹に弦を押さえた感触が伝わりにくいので修正ができず、音を鳴らしてみて、ビビリ音などが出てからうまく押さえられなかったことが分かり、結果的にうまく演奏できない場合がある。
【０００４】
また、弦と接する部材が特許文献１においてはプラスチック等の硬質部材であり、特許文献２においてはプラスチック製・ゴム製の弾力性を持つ材料であり、特許文献３においてはゴムであることが開示されている。しかしながら弦楽器の演奏において弦を押さえたり、弦を押さえたまま指を移動させたりするには、弦と接する部位の滑り易さが指先または指の腹と同じ程度であることが望ましい。特許文献１に開示されているプラスチック等の硬質部材では溝等を設けなければ滑りすぎて弦上に指先を保持することが困難で、特許文献２及び３のプラスチック製・ゴム製の弾力性を持つ材料は滑りにくい素材であるため弦上を指先又は指の腹を滑らせることがうまくできない。
【０００５】
本来指先及び指の腹を酷使する弦楽器演奏などで弦を指先及び指の腹で強く押さえたり、押さえたまま弦上を移動させたりする場合、練習を繰り返す事で弦に接触する部分の皮膚が厚く変化し、弦が押さえ易く又長時間演奏しても指先が痛くならなくなるいわゆるタコが指先及び指の腹にできる。このタコは滑り易さ、硬さ、大きさ、位置が弦を押さえるのに最適で、タコのできている間はうまく演奏できる。しかしこのタコは常に使用していないと無くなってしまうため、たまに演奏する場合、指先及び指の腹が痛み、うまく演奏できないことがあった。指先を保護する目的で特許文献１、２及び３の技術が開示されているが、これらの先行技術は指にタコができた状態と比較すると弦を押さえた場合に指先に弦を押さえた感触が伝わりにくく、また弦を押さえたまま指滑らせようとした場合に滑りすぎたり滑らなかったり違和感がありうまく演奏できない問題点があった。そこで、この発明はいわゆるタコができた場合と同様に、弦楽器の弦を押さえる場合や弦を押さえたまま移動させる演奏などの痛みを軽減し、かつ指先及び指の腹に弦を押さえた感触が伝わり最適な部位で弦を押さえうまく演奏を行なう事ができるようにすることを課題とする。
【課題を解決するための手段】
【０００６】
以上の課題を解決するために、第一発明は、弦を押さえるのに必要な大きさの緩衝部材を指先又は指の腹の任意部分に装着する手段を設けた指強化具である。
【０００７】
また第二発明は、第一発明において緩衝部材が皮革または皮革と同じ程度の硬さと滑り易さを持った部材である指強化具である。
【０００８】
また第三発明は第一発明及び第二発明において緩衝部材を指先または指の腹に装着する手段が緩衝部材の裏面に粘着材を塗布した装着手段、又は緩衝部材を接着した指サック指筒であるである装着手段、又は緩衝部材を粘着テープの表面に接着し指先または指の腹に粘着させて使用する装着手段である指強化具である。
【発明の効果】
【０００９】
第一発明、第二発明、または第三発明によれば、指先及び指の腹に、弦を押さえるのに必要な大きさの緩衝部材を弦に接触する部位に取り付けることができるので、弦を押さえた場合に最適な場所からずれても指先または指の腹に弦を押さえた感触が伝わるので修正ができ、タコができた場合と同様に痛みを軽減しかつうまく演奏できる。また第二発明によれば、皮革または皮革と同じ程度の硬さと滑り易さを持った部材を緩衝材にするので、弦を押さえたまま指を適度に滑らせることができ、タコができた場合と同様に痛みを軽減しかつうまく演奏できる。
【発明を実施するための最良の形態】
【００１０】
この発明の一実施形態を、図１に示す。ギターを演奏する場合左手の指先及び指の腹で弦を押さえ音程を変えるため、弦と接触する部位に指先強化具及び指の腹強化具を取り付けた例を示す。指先強化具の緩衝部材として、牛皮革を用い、大きさは直径６ｍｍ，厚み０．５ｍｍで周囲は弦に引っかからないようテーパー状に形成されている。緩衝部材として牛皮革を使用しているので、硬さ、滑り易さが指先にタコができた場合に近い感触で、弦を押さえたり、弦の上を滑らせたりすることができる。裏面に粘着材が塗布してありこの面を指に粘着させることで緩衝材を弦と接触する部位に取り付ける。この緩衝材から外れて弦を押さえると、弦が指先に触れるなどして、うまく押さえられていないことが感触として指先に伝わり、この時点で押さえる位置の修正ができる。弦を弾いて音を鳴らす前に修正できるのでうまく演奏できる。また、指の腹強化具の緩衝部材として牛皮革を用い、大きさは幅５ｍｍ長さ１５ｍｍ，厚み０．５ｍｍで周囲は弦に引っかからないようテーパー状に形成されている。緩衝部材として牛皮革を使用しているので、硬さ、滑り易さが指の腹にタコができた場合に近い感触で、弦を押さえたり、弦の上を滑らせたりすることができる。裏面に粘着材が塗布してありこの面を指に粘着させることで緩衝材を弦と接触する部位に取り付ける。本実施例では人差し指の第三間接と第二間接の間の第二間接よりに取り付けられており、ギターの第一弦、第二弦を同時に押さえる場合に効果的である。この緩衝材から外れて弦を押さえると、弦が指の腹に触れるなどして、うまく押さえられていないことが感触として指の腹に伝わり、この時点で押さえる位置の修正ができる。弦を弾いて音を鳴らす前に修正できるのでうまく演奏できる。人差し指に装着した場合の側面図を図２に、正面図を図３に示す。緩衝材の形状や材質は押さえ方や楽器の種類によって変更しても良く、弦の上を滑らせて演奏しない用途等では硬質ゴムなど、より滑りにくい材料を使用してもよい。
【００１１】
この発明の2番目の実施形態を図４に示す。緩衝部材３、５はゴムサック４、ゴム筒６にそれぞれ接着されており、ゴムサック、ゴム筒を指にはめることで緩衝部材を弦と接触する部位に取り付ける。緩衝部材の材質、大きさは実施例１と同様である。
【００１２】
さらに発明の3番目の実施形態を図５に示す。緩衝部材７，９は粘着テープ８，１０にそれぞれ接着されており、粘着テープを指に貼り付けることで緩衝部材を弦と接触する部位に取り付ける。粘着テープは他の弦に当たらないよう指先にフィットする形状ものが望ましく指先に装着する前の形状を図６の展開図に示し、そのＡ−Ｂ線での断面図を図７に示す。粘着テープ８の１１，１２の部分をクロスさせて爪に粘着させることで指先の形状に合わせて装着できる。
【００１３】
「実施形態の効果」
これらの実施形態によれば、たまに演奏する場合であっても、タコができている状態と同様に痛みを軽減しかつうまく演奏でき、またタコができにくくなるので指及び指の腹にタコのない状態を保てる。
【００１４】
「他の実施形態」
図１、図２、図３の実施形態では、緩衝部材として牛皮革を使用したが他の皮革や、硬質ゴムなどを中心材とし表面に皮革表皮又は同じ程度の滑り易さの材料を接着又は表面処理して緩衝部材としても良い。中心材として弾性接着剤などを盛上げて用いても良い。
【図面の簡単な説明】
【００１５】
【図１】この発明の第1実施形態を示す斜視図である。
【図２】この発明の第1実施形態の側面図である。
【図３】この発明の第1実施形態の正面図である。
【図４】この発明の第２実施形態を示す斜視図である。
【図５】この発明の第３実施形態を示す斜視図である。
【図６】この発明の第３実施形態の８を貼り付けるまえの展開図である。
【図７】８のＡ−Ｂ断面図である。
【図８】特許文献１の斜視図である。
【図９】特許文献１の断面図である。
【図１０】特許文献２の斜視図である。
【図１１】特許文献３の斜視図である。
【図１２】特許文献３の指全体で押さえるゴムサックの斜視図である。
【符号の説明】
【００１６】
１、２，３，５，７，９，緩衝部材
４  指サック
６  指筒
８，１０    粘着テープ
【図１】
2006126717.tif 000003
【図２】
2006126717.tif 000004
【図３】
2006126717.tif 000005
【図４】
2006126717.tif 000006
【図５】
2006126717.tif 000007
【図６】
2006126717.tif 000008
【図７】
2006126717.tif 000009
【図８】
2006126717.tif 000010
【図９】
2006126717.tif 000011
【図１０】
2006126717.tif 000012
【図１１】
2006126717.tif 000013
【図１２】
2006126717.tif 000014